(57)【要約】【課題】  遮光及び防塵効果の高い感光性記録媒体用カートリッジを提供する。【解決手段】  カートリッジ２は、カートリッジ本体２５と、シャッタ１０から構成されている。ホログラム記録ディスク４は、カートリッジ本体２５内に形成されたディスク収容部に回転自在に収容されている。シャッタ１０は、上側シャッタ板５２及び下側シャッタ板５１でカートリッジ本体２５を両面から挟み込み、両面に設けられた開口７を開閉する。シャッタ１０は、開口７を閉じる閉じ位置にあるときに、その端縁５１ａ，５２ａ，５１ｂ，５２ｂが、カートリッジ本体２５の開口７の周囲に設けられたスリット６０〜６３に挿入される。また、シャッタ１０の端縁５１ｃ，５２ｃには略袋状の屈曲部が設けられており、この屈曲部５１ｃ，５２ｃにはカートリッジ本体２５の突条６５，６６が挿入される。【選択図】        図６
2006179154.tif 000002
【特許請求の範囲】
【請求項１】
ディスク状の感光性記録媒体を挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えたカートリッジにおいて、
前記カートリッジ本体は、前記シャッタが閉じ位置にあるときに、該シャッタの端縁が挿入される凹部が設けられていることを特徴とする感光性記録媒体用カートリッジ。
【請求項２】
ディスク状の感光性記録媒体を挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えたカートリッジにおいて、
前記シャッタは、その端縁に略袋状の屈曲部が形成され、前記カートリッジ本体は、該シャッタが閉じ位置にあるときに屈曲部に挿入される突条が設けられていることを特徴とする感光性記録媒体用カートリッジ。
【請求項３】
ディスク状の感光性記録媒体を挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えたカートリッジにおいて、
前記シャッタは、少なくとも開き位置への移動方向の先端側の端縁に略袋状の屈曲部が形成され、前記カートリッジ本体は、シャッタが閉じ位置にあるときに該シャッタの端縁が挿入される凹部と、該屈曲部に挿入される突条とが設けられていることを特徴とする感光性記録媒体用カートリッジ。
【請求項４】
前記カートリッジ本体は、前記感光性記録媒体に対する内面と、前記シャッタに対する外面とに、表面粗さＲａ：５〜２０μｍのマット加工、またはシボ加工が施されていることを特徴とする請求項１ないし３いずれか記載の感光性記録媒体用カートリッジ。
【請求項５】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１ないし４いずれか記載の感光性記録媒体用カートリッジ。
【請求項６】
前記第１シェル及び第２シェルと、シャッタは、その成形に用いられるプラスチックに遮光性物質が０．０１〜５．００重量％添加されていることを特徴とする請求項１ないし５いずれか記載の感光性記録媒体用カートリッジ。
【請求項７】
前記第１シェル及び第２シェルと、シャッタは、その成形に用いられるプラスチックにカーボンブラックが０．０１〜２．００重量％添加されていることを特徴とする請求項１ないし５いずれか記載の感光性記録媒体用カートリッジ。
【請求項８】
前記第１シェル及び第２シェルと、シャッタは、その成形に用いられるプラスチックにシリコーン系滑剤が０．１〜５．０重量％添加されていることを特徴とする請求項１ないし７いずれか記載の感光性記録媒体用カートリッジ。
【請求項９】
前記感光性記録媒体は、ホログラム記録媒体であることを特徴とする請求項１ないし８いずれか記載の感光性記録媒体用カートリッジ。
【発明の詳細な説明】
【技術分野】
【０００１】
本発明は、感光性記録媒体を収容する感光性記録媒体用カートリッジに関し、更に詳しくは、感光性記録媒体としてホログラム記録媒体を収容する感光性記録媒体用カートリッジのカートリッジ本体とシャッタとの間の遮光性能及び防塵性能の改良に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１記載の発明は、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。また、特許文献２記載の発明では、ホログラム記録層の感応色を遮光する材質でカートリッジを形成し、ホログラム記録媒体を外部に露呈させる可動部分の合せ目には、スポンジ状の遮光材を貼付している。
【特許文献１】特開２００４−０２９４７６号公報
【特許文献２】特開２００３−３１７４２２号公報
【発明の開示】
【発明が解決しようとする課題】
【０００４】
特許文献1記載のカートリッジが、ディスク状の記録媒体を収容するカートリッジとして一般的な構造を有しているとすれば、記録媒体を回転自在な状態で挟み込むようにして収容する上側シェル及び下側シェルと、これら上側シェル及び下側シェルに記録媒体の一部を外部に露呈させるように形成される開口と、この開口を開閉するシャッタとを備えているものを考えられる。ところで、ホログラム記録媒体を収容するカートリッジは、カートリッジ本体とシャッタとの間の遮光及び防塵が適切に行なわれないと、光や塵芥がカートリッジ内に進入し、ホログラム記録媒体に悪影響を与えてしまう。しかし、特許文献１記載のカートリッジは、光線透過率の小さな材料を使用しているものの、カートリッジ本体とシャッタとの間の遮光及び防塵構造に関する記載がない。
【０００５】
また、特許文献２記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。
【０００６】
本発明は、ホログラム記録媒体等の感光性記録媒体の遮光及び防塵効果の高いカートリッジを提供することを目的とする。
【課題を解決するための手段】
【０００７】
上記課題を解決するために、本発明の感光性記録媒体用カートリッジは、シャッタが閉じ位置にあるときに、該シャッタの端縁が挿入される凹部をカートリッジ本体に設けている。これにより、シャッタの端部とカートリッジ本体との間にラビリンス状の遮光構造が形成されるため、感光性記録媒体を感光させず、かつ清浄な状態で収容することができる。
【０００８】
また、シャッタの端縁に略袋状の屈曲部を形成し、カートリッジ本体には、シャッタが閉じ位置にあるときに屈曲部に挿入される突条を設けている。この場合にも、カートリッジ本体とシャッタとの間に適切な遮光構造が形成される。なお、シャッタの端縁とカートリッジ本体の凹部との嵌合と、シャッタとの屈曲部とカートリッジ本体の突条との嵌合とを組みあわせて用いてもよい。
【０００９】
また、カートリッジ本体の感光性記録媒体に対する面と、シャッタに対する面とに、表面粗さＲａ：５〜２０μｍのマット加工、またはシボ加工を施すとよい。これによれば、カートリッジ内部や、カートリッジ本体とシャッタとの間に光が進入した場合でも、粗面によって光を拡散、減衰させることができるため、感光性記録媒体に対する影響を軽減させることができる。
【００１０】
また、カートリッジ本体を第１シェルと第２シェルとを溶着によって構成する場合には、第１シェルと第２シェルとの材質を同一または類似の熱可塑性プラスチックで形成し、かつシャッタを含むその他の部品を該第１シェル及び第２シェルと異なる材質で形成するとよい。これによれば、第１シェルと第２シェルとの溶着時に第１シェル及び第２シェルとその他の部品とが溶着してしまうのを防止することができる。
【００１１】
また、カートリッジ本体とシャッタとの成形に用いられるプラスチックに、遮光性物質を０．０１〜５．００重量％添加するとよい。遮光性物質としてカーボンブラックを使用する場合には、０．０１〜２．００重量％を添加するとよい。これにより、カートリッジ本体とシャッタとの光透過率を小さくすることができ、カートリッジの遮光性能を向上させることができる。
【００１２】
また、カートリッジ本体とシャッタとの成形に用いられるプラスチックに、シリコーン系滑剤を０．１〜５．０重量％添加するとよい。これによれば、シャッタの動作が滑らかになるため、シャッタとカートリッジ本体との間の摩擦により削り屑等が発生するのを防止することができる。
【発明の効果】
【００１３】
本発明のカートリッジによれば、カートリッジ本体とシャッタとの間から光や塵芥が進入するのを効果的に防止することができるので、感光性記録媒体を光密及び清浄に収容することができる。また、その作用効果は、カートリッジ本体とシャッタとに遮光性能及び防塵性能を高める遮光構造を設けることによって得ることができるため、遮光のための部品点数の増加等がなく、比較的低コストに採用することができる。
【発明を実施するための最良の形態】
【００１４】
本発明を用いたホログラム記録媒体用カートリッジ（以下、カートリッジと省略する）の第１の実施形態について説明する。図１〜図３は、第１実施形態のカートリッジの外観形状を示す斜視図であり、図４及び図５は、カートリッジの装填方向Ａ、及びこの装填方向Ａに直交する方向の要部断面図である。
【００１５】
カートリッジ２は、内部に設けられたディスク収容部３に、円板形状のホログラム記録媒体（以下、記録ディスクと称する）４を回転自在に収容している。記録ディスク４は、カートリッジ２に収容された状態で取り扱われる。
【００１６】
記録ディスク４は、中心部に穴をあけてディスク状にしたものであり、両面に感光性材料からなるホログラム記録層が設けられた感光性記録媒体である。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。
【００１７】
カートリッジ２の上面及び下面には、ディスク収容部３に収容した記録ディスク４を外部に露呈させる開口７，８が形成されている。これらの開口７，８は、常態ではカートリッジ２の外側に移動自在に設けられたシャッタ１０によって閉じられており、シャッタ１０が矢印Ｂ方向の開き位置に向けて移動されることにより開放される。シャッタ１０は、バネによって閉じ位置である矢印Ｃ方向に付勢されており、独立して動作するようにカートリッジ２の両面にそれぞれ設けられたロック機構１１，１２によって閉じ位置でロックされている。そのため、カートリッジ２に対する振動や衝撃等によってシャッタ１０が移動し、開口７，８が不用意に開放されることはない。
【００１８】
カートリッジ２は、記録ディスク４にデータを記録する記録装置や、記録ディスク４からデータを読み出す再生装置に設けられたカートリッジスロットに対し、装填方向Ａから挿入される。記録装置または再生装置に装填されたカートリッジ２は、両面に設けられた位置決め穴１５によって位置決めされ、シャッタ１０が開き位置に移動されて開口７，８が開放される。例えば、図１に示す状態でカートリッジ２が装置に装填された場合には、下面の開口８から装置のピックアップ部がカートリッジ２内に挿入され、記録ディスク４の下面のホログラム記録層に対しデータが記録または再生される。また、図２に示すように、カートリッジ２を裏返して装置に装填した場合には、下面に配置される開口７からピックアップ部が挿入され、図１における記録ディスク４の上面のホログラム記録層にデータが記録または再生される。
【００１９】
記録装置及び再生装置内には、カートリッジ２のロック機構１１，１２を解除するロック解除機構と、シャッタ１０を閉じ位置と開き位置との間で移動させるシャッタ開閉機構とが組み込まれている。図３に示すように、ロック解除機構は、装置内で解除治具１８，１９を軸方向に移動させ、カートリッジ２の両面にそれぞれ設けられたロック機構１１，１２の解除用係合部２０，２１に該治具１８，１９をそれぞれ係合させる。解除用係合部２０，２１は、例えば三叉形状となっており、解除治具１８，１９はこの解除用係合部２０，２１に対して容易に係合可能なように、３本の係合ピン２３を有している。
【００２０】
解除治具１８，１９が解除用係合部２０，２１に係合し、それぞれ反時計方向に回転されると各ロック機構１１，１２が解除される。次いで、シャッタ開閉機構がシャッタ１０の側面に形成された穴１０ａに駆動用のピンを挿入し、かつ開き方向Ｂに移動させる。これにより、シャッタ１０がスライド移動され、図５（Ｂ）に示すように、カートリッジ２の両面の開口７，８が開放される。
【００２１】
図６は、カートリッジ２の構成を示す分解斜視図である。カートリッジ２は、記録ディスク４を回転自在に収容するカートリッジ本体２５と、このカートリッジ本体２５の両面の開口７，８を外側から開閉するシャッタ１０と、カートリッジ本体２５に組み込まれるロック機構１１，１２とからなる。なお、ロック機構１２は、ロック機構１１と面対称で同じ構成及び構造であるため、図示及び詳しい説明は省略する。
【００２２】
図７に示すように、カートリッジ本体２５は、略板状の下側シェル３０と、この下側シェル３０の上面に接合される上側シェル３１とから構成されている。下側シェル３０と上側シェル３１は、遮光性物質と滑剤とが添加された同一または類似の熱可塑性プラスチックによって形成されている。なお、本実施形態では、第１シェルとして下側シェル３０を、第２シェルとして上側シェル３１をそれぞれ対応させているが、逆にしてもよい。
【００２３】
上記遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００２４】
上記滑剤として、例えば、シリコーン系滑剤を用いることができる。このシリコーン系滑剤の添加により摩擦抵抗が低減するため、シャッタ１０の移動による削り屑の発生を少なくすることができる。また、輸送時の衝撃で記録ディスク４とカートリッジ２の内壁とが接触した場合の削り屑の発生も低減することができる。更に、機器への挿入性等の取り扱い性が向上する。また、流動性が向上するため、成形時の混練性、射出成形性等の加工性等も向上する。
【００２５】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００２６】
下側シェル３０の内面には、記録ディスク４が収容される略円形のディスク収容部３と、このディスク収容部３の周囲を取り囲むように突条状に設けられた第１の凹部３４と、端縁全周に設けられた第２の凹部３５と、位置決め穴１５の周囲を取り囲む遮光壁３６と、シャッタ１０のバネを収納するスペースとなる切欠部３７とが設けられている。切欠部３７内には、シャッタ１０のバネの一端が掛けられるバネ掛け片３８が一体に設けられている。
【００２７】
また、上側シェル３１の内面には、下側シェル３０のディスク収容部３の上面を構成する上面部４１と、下側シェル３０の第１の凹部３４内に挿入される第１の凸部４２と、第２の凹部３５内に挿入される第２の凸部４３と、位置決め穴１５の周囲を取り囲むように設けられ、遮光壁３６内に挿入される遮光壁４４とが設けられている。
【００２８】
ディスク収容部３に記録ディスク４を乗せ、上側シェル３１を下側シェル３０の上面に重ね合わせると、第１の凸部４２が第１の凹部３４内に嵌合される。図４のＤ矢視部の拡大図である図８に示すように、第１の凹部３４内に嵌合された第１の凸部４２の先端４２ａが下側シェル３０の内面３０ａに対面し、ラビリンス状の遮光構造が形成される。また、第２の凸部４３は第２の凹部３５内に嵌合し、その先端４３ａが下側シェル３０の内面３０ａに当接することにより、嵌合構造が形成される。
【００２９】
ディスク収容部３の外周は、ラビリンス状の遮光構造によって取り囲まれるため、下側シェル３０及び上側シェル３１の合せ目から光や塵芥がディスク収容部３内に進入することはない。また、図９の断面図に示すように、位置決め穴１５の外周も、二つの遮光壁３６，４４の嵌合によりラビリンス状の遮光構造が形成されるため、位置決め穴１５から光や塵芥が進入することはない。更に、位置決め穴１５は、第１の凹部３４及び第１の凸部４２からなる遮光構造の外側に配置されているため、ディスク収容部３の遮光性及び防塵性に影響はない。
【００３０】
上側シェル３１の第２の凸部４３は、超音波溶着によって下側シェル３０の内面３０ａに固着される。これにより、下側シェル３０と上側シェル３１とが強固に接合されるため、両者の合せ目に隙間が開くようなことはない。また、超音波溶着を行なうと、プラスチック粉が周囲に飛散する場合があるが、第２の凹部３５内で行なうことにより飛散を最小限にし、記録ディスク４の汚損を防止することができる。
【００３１】
カートリッジ本体２５にシャッタ１０やロック機構１１等を組み込んだ後で、下側シェル３０と上側シェル３１とを超音波溶着すると、シャッタ１０等の他の部品も一緒に溶着されることがある。これを防止するために、シャッタ１０等の他の部品の材質には、下側シェル３０及び上側シェル３１とは異なる種類のプラスチックを用いるとよい。
【００３２】
下側シェル３０と上側シェル３１との超音波溶着による接合をより確実に行なうには、図１０に示すように、第２の凸部４３の先端４３ａに突起状のエネルギーダイレクタ４７を設けるとよい。エネルギーダイレクタ４７を設けて超音波溶着を行なうと、超音波のエネルギーがエネルギーダイレクタ４７に集中するため、第２の凸部４３と下側シェル３０とをより強固に溶着することができる。なお、下側シェル３０と上側シェル３１との間の超音波溶着は、第２の凸部４３の全周で行なってもよいし、一定間隔でスポット的に行なってもよい。
【００３３】
シャッタ１０は、下側シェル３０及び上側シェル３１とは種類の異なるプラスチックにより形成されている。このプラスチックには、下側シェル３０及び上側シェル３１の成形に用いたプラスチックと同様に、遮光性物質と滑剤とを添加してもよい。図１１に示すように、シャッタ１０は、カートリッジ本体２５の装填方向Ａ側の端面に配置されるベース部５０と、カートリッジ本体２５の上下面を挟み込むようにベース部５０に一体に形成される下側シャッタ板５１及び上側シャッタ板５２とからなる。ベース部５０の内面には、シャッタバネ５４の一端が掛けられるバネ掛け片５６が一体に設けられている。シャッタバネ５４の他端は、下側シェル３０のバネ掛け片３８に掛けられて切欠部３７に収納され、シャッタ１０を閉じ位置に向けて付勢する。
【００３４】
下側シェル３０及び上側シェル３１の各外面には、各シャッタ板５１，５２の閉じ方向Ｃの側端縁５１ａ，５２ａを収納するスリット６０，６１と、装填方向Ａの後端縁５１ｂ，５２ｂを収納するスリット６２，６３（図１及び図２参照）とがそれぞれ形成されている。また、各シャッタ板５１，５２の開き方向Ｂの側端縁には略コ字形状の屈曲部５１ｃ，５２ｃが形成されている。下側シェル３０及び上側シェル３１の外面には、シャッタ１０が閉じ位置にあるときに該屈曲部５１ｃ，５２ｃ内に挿入される突条６５，６６がそれぞれ形成されている。
【００３５】
シャッタ１０が閉じ位置にあるとき、各シャッタ板５１，５２の端縁５１ａ，５１ｂ及び５２ａ，５２ｂが各シェル３０，３１のスリット６０，６２及び６１，６３に挿入され、各シェル３０，３１に設けられた突条６５，６６が各シャッタ板５１，５２の屈曲部５１ｃ，５２ｃ内に入り込む。これにより、カートリッジ本体２５とシャッタ１０との間もラビリンス状の遮光構造によって取り囲まれるため、カートリッジ本体２５とシャッタ１０との隙間から光や塵芥が進入するのを効果的に防止することができる。
【００３６】
シャッタ１０の各シャッタ板５１，５２の内面には、ガイド突起５１ｄ，５２ｄが形成されており、各シェル３０，３１の外面には、ガイド突起５１ｄ，５２ｄが挿入されるガイド溝７０，７１（図４参照）が形成されている。シャッタ１０がカートリッジ本体２５の外面上で移動する際に、これらガイド突起５１ｄ，５２ｄがガイド溝７０，７１内で移動する。これにより、シャッタ１０はカートリッジ本体２５から外れることなく、スムースに移動することができるようになる。なお、下側シェル３０及び上側シェル３１とシャッタ１０は、原材料のプラスチックに滑剤が添加されているため、シャッタ１０の移動時の摩擦によって削り屑等が発生することはない。
【００３７】
図６及び図１２に示すように、上側シェル３１に組み込まれたロック機構１１は、上側シェル３１の外面に形成されてスリット６１につなげられたロック機構用凹部７５と、この凹部７５内に組み込まれるロックレバー７６及びロックバネ７７と、ロック機構用凹部７５を塞ぐ板状のロックカバー７８とからなる。このロック機構１１は、シャッタ１０の上側シャッタ板５２に一体に形成された被係合爪５２ｅにロックレバー７６を係合させることにより、シャッタ１０を閉じ位置でロックする。
【００３８】
ロックレバー７６には、被係合爪５２ｅに係合する係合爪７６ａと、ロック機構用凹部７５内に形成された穴７５ａに回転自在に挿入される軸部７６ｂと、前述の三叉形状の解除用係合部２０とが一体に設けられている。ロックバネ７７は捩じりバネからなり、軸部７６ｂに挿入されて一端がロックレバー７６に掛けられ、他端がロック機構用凹部７５の内壁面に当接されることによりロックレバー７６を図中時計方向に向けて付勢する。解除用係合部２０は、ロックカバー７８に形成された穴７８ａにより外部に突出しないように露呈される。ロック機構用凹部７５内の符号７５ｂは、ロックバネ７７によって付勢されたロックレバー７６を受け止めて、被係合爪５２ｅに係合する係合位置に保持する保持片である。
【００３９】
下側シェル３０に組み込まれたロック機構１２は、下側シェル３０の外面に形成されてスリット６０につなげられたロック機構用凹部８０と、この凹部８０内に組み込まれるロックレバー８１及びロックバネ８２と、ロック機構用凹部８０を塞ぐ板状のロックカバー８３とからなる。このロック機構１２は、シャッタ１０の下側シャッタ板５１に一体に形成された被係合爪５１ｅにロックレバー８１を係合させることにより、シャッタ１０を閉じ位置でロックする。なお、ロックレバー１２の各部品は、ロックレバー１１と同様の構成からなるため、詳しい説明は省略する。
【００４０】
図１３（Ａ）は、ロック機構１１のロック状態を示す平面図である。なお、ロックレバー７６の動作を表すために、ロックカバー７８を取り外した状態で図示している。図１及び図５（Ａ）に示すように、シャッタ１０が閉じ位置にあるときには、ロックバネ７７の付勢によって係合爪７６ａが被係合爪５２ｅに係合している。これにより、シャッタ１０の開き方向への移動が規制されるため、シャッタ１０が不用意に開放されて記録ディスク４が曝光されることはない。
【００４１】
また、図１３（Ｂ）は、ロック機構１１のロック解除状態を示している。図３に示すように、解除用係合部２０が解除治具１８によって反時計方向の解除方向に回転されると、ロックレバー７６もロックバネ７７の付勢に抗して反時計方向に回転される。これにより、係合爪７６ａと被係合爪５２ｅとの係合が解除され、シャッタ１０が移動可能となる。なお、シャッタ１０は、シャッタバネ５４によって閉じ位置に付勢されているため、ロック解除によりシャッタ１０が開くことはない。図３及び図５（Ｂ）に示すように、シャッタ１０が開き位置に移動されると開口７，８が開放され、記録ディスク４のホログラム記録層がカートリッジ２から露呈される。
【００４２】
なお、詳しくは図示しないが、ロック機構１２は、上記ロック機構１１と同様に、かつロック機構１１とは独立してロック及びロック解除が行なわれる。そのため、シャッタ１０の閉じ位置でのロックを解除するには、上下両面のロック機構１１，１２を同時に解除しなければならない。これにより、カートリッジ２が単体で外部にあるときに誤ってシャッタ１０が開放される危険性は非常に小さくなる。
【００４３】
図５のＥ矢視部の拡大図である図１４に示すように、上側シェル３１の内面及びシャッタ１０に対面する外面には、粗面８５，８６が形成されている。この粗面８５，８６は、カートリッジ２内やカートリッジ本体２５とシャッタ１０との間に進入した光を減衰させ、記録ディスク４のホログラム記録層への悪影響を最小限にするために設けられている。なお、詳しくは図示しないが、粗面８５，８６は下側シェル３０にも設けられている。また、シャッタ１０に対面する粗面８６は、下側シェル３０及び上側シェル３１のスリット６０，６１，６２，６３内にも設けられている。更に、図１５に示すように、下側シェル３０の第１の凹部３４の内面と、上側シェル３１の第１の凸部４２の外面とにも粗面８８，８９を設けてもよいし、シャッタ１０の各シャッタ板５１，５２の内面に粗面を設けてもよい。
【００４４】
次に、本発明を用いたホログラム記録媒体用カートリッジの第２の実施形態について説明する。図１６及び図１７は、第２の実施形態のホログラム記録媒体用カートリッジの外観形状を示す斜視図であり、図１８及び図１９は、ホログラム記録媒体用カートリッジ１０２の装填方向Ｆ、及びこの装填方向Ｆに直交する方向の要部断面図である。
【００４５】
カートリッジ１０２は、内部に設けられたディスク収容部１０３に記録ディスク１０４を回転自在に収容している。記録ディスク１０４は、カートリッジ１０２に収容された状態で取り扱われる。
【００４６】
記録ディスク１０４は、中心部に穴をあけてディスク状にしたものであり、両面にホログラム記録層が設けられている。このホログラム記録層には、データがレーザ光の干渉縞として多層記録される。この記録ディスク１０４へのデータ記録には、例えば、緑色５３２ｎｍ〜青色４０５ｎｍの波長域のレーザ光が使用される。なお、記録ディスク１０４の穴部に補強材を付加してもよい。
【００４７】
カートリッジ１０２の上面及び下面には、ディスク収容部１０３に収容した記録ディスク１０４のホログラム記録層を外部に露呈させる開口１０７，１０８が形成されている。これらの開口１０７，１０８は、カートリッジ１０２内に移動自在に組み込まれたシャッタ１１０の上側シャッタ板１１０ａ，下側シャッタ板１１０ｂによって閉じられており、シャッタ１１０が矢印ＧまたはＨ方向の開き位置に向けて移動されることにより開放される。シャッタ１１０は、内蔵する中立機構によって中央の閉じ位置に保持され、かつロック機構によって閉じ位置でロックされている。そのため、カートリッジ１０２に対する振動や衝撃等によってシャッタ１１０が移動し、開口１０７，１０８が不用意に開放されることはない。
【００４８】
カートリッジ１０２は、記録ディスク１０４にデータを記録する記録装置や、記録ディスク１０４からデータを読み出す再生装置に設けられたカートリッジスロットに対し、装填方向Ｆから挿入される。記録装置または再生装置に装填されたカートリッジ１０２は、両面に設けられた位置決め穴１１５によって位置決めされ、シャッタ１１０が開き位置に移動されて開口１０７，１０８が開放される。例えば、図１６に示す状態でカートリッジ１０２が装置に装填された場合には、下面の開口１０８から装置のピックアップ部がカートリッジ１０２内に挿入され、記録ディスク１０４の下面のホログラム記録層に対しデータが記録または再生される。また、カートリッジ１０２を裏返して装置に装填した場合には、下面に配置される開口７からピックアップ部が挿入され、図１７における記録ディスク１０４の上面のホログラム記録層にデータが記録または再生される。
【００４９】
記録装置及び再生装置内には、カートリッジ１０２のロック機構を解除するロック解除機構と、シャッタ１１０を閉じ位置と開き位置との間で移動させるシャッタ開閉機構とが組み込まれている。図１７に示すように、ロック解除機構は、装置内で解除治具１１８を軸方向に移動させ、カートリッジ１０２の装填方向Ｆの先端面に設けられたロック機構の解除用係合部１２０に該治具１１８を係合させる。解除用係合部１２０は、例えば三叉形状となっており、解除治具１１８はこの解除用係合部１２０に対して容易に係合可能なように、３本の係合ピン１２１が立設された形態となっている。
【００５０】
解除治具１１８が解除用係合部１２０に係合して反時計方向に回転されると、ロック機構が解除される。次いで、シャッタ開閉機構が装填方向Ｆの先端面に形成されたスリット１２３に駆動用のピンを挿入し、かつシャッタ１１０の係合穴１１１ａに係合させ、開き方向ＧまたはＨに移動させる。これにより、シャッタ１１０がスライド移動され、図１９（Ｂ）に示すように、カートリッジ１０２の両面の開口１０７，１０８が開放される。
【００５１】
図２０は、カートリッジ１０２の構成を示す分解斜視図である。カートリッジ１０２は、記録ディスク１０４を回転自在に収容するカートリッジ本体１２５と、このカートリッジ本体１２５の両面の開口１０７，１０８を外側から開閉するシャッタ１１０と、カートリッジ本体１２５に組み込まれる中立機構１２６及びロック機構１２７と、カートリッジ本体１２５の装填方向Ｆ先端に嵌合され、カートリッジ本体１２５を塞ぐ先端嵌合部１２８とからなる。
【００５２】
図２１に示すように、カートリッジ本体１２５は、略板状の下側シェル１３０と、この下側シェル１３０の上面に接合される上側シェル１３１とから構成されている。下側シェル１３０と上側シェル１３１は、遮光性能を向上させ、かつ物理的強度を向上させる遮光性物質と、シャッタ１１０の滑りを向上させる滑剤とが添加された同一または類似の熱可塑性プラスチックによって形成されている。なお、遮光性物質及び滑剤としては、上記第１実施形態と同様のものが用いられるため、詳しい説明は省略する。また、本実施形態では、第１シェルとして下側シェル１３０を、第２シェルとして上側シェル１３１をそれぞれ対応させているが、逆にしてもよい。
【００５３】
下側シェル１３０の内面には、記録ディスク１０４が収容される略円形のディスク収容部１０３と、このディスク収容部１０３の周囲を取り囲むように突条状に設けられた第１の凹部１３４と、端縁全周に設けられた第２の凹部１３５と、位置決め穴１１５の周囲を取り囲む遮光壁１３６と、シャッタ１１０の下側シャッタ板１１０ｂを収納するシャッタ収納部１３７とが設けられている。シャッタ収納部１３７は、下側シェル１３０の外面とディスク収容部１０３との間に設けられており、装填方向Ｆの先端側に下側シャッタ板１１０ｂの挿入口となる開口部１３７ａが設けられている。
【００５４】
また、上側シェル１３１の内面には、下側シェル１３０のディスク収容部１０３の上面を構成する上面部１４１と、下側シェル１３０の第１の凹部１３４内に挿入される第１の凸部１４２と、第２の凹部１３５内に挿入される第２の凸部１４３と、位置決め穴１１５の周囲を取り囲むように設けられ、遮光壁１３６内に挿入される遮光壁１４４と、シャッタ１１０の上側シャッタ板１１０ａを収納するシャッタ収納部１４５とが設けられている。シャッタ収納部１４５は、下側シェル１３０のシャッタ収納部１３７と同様に、上側シェル１３１の外面と上面部１４１との間に設けられており、装填方向Ｆの先端側に下側シャッタ板１１０ｂの挿入口となる開口部１４５ａが設けられている。
【００５５】
下側シェル１３０と上側シェル１３１との装填方向Ｆの先端縁には、中立機構１２６を収納する溝状のスペースを形成する切欠部１４８，１４９がそれぞれ設けられている。切欠部１４８，１４９内には、中立機構１２６の一部を構成する４片のストッパ１５０が一体に設けられている。
【００５６】
カートリッジ１０２の装填方向先端側の要部断面図である図２２に示すように、本第２実施形態においても、ディスク収容部１０３の外周がラビリンス状の遮光構造によって取り囲まれるため、下側シェル１３０及び上側シェル１３１の合せ目から光や塵芥がディスク収容部１０３内に進入することはない。また、第２の凸部１４３を下側シェル１３０の内面１３０ａに超音波溶着すれば、第１の実施形態と同様に、下側シェル１３０と上側シェル１３１とが強固に接合され、両者の合せ目に隙間が開くようなことはない。
【００５７】
カートリッジ本体１２５にシャッタ１１０やロック機構１２７等を組み込んだ後で、下側シェル１３０と上側シェル１３１とを超音波溶着すると、シャッタ１１０等の他の部品も一緒に溶着されることがある。これを防止するために、シャッタ１１０等の他の部品の材質には、下側シェル１３０及び上側シェル１３１とは異なる種類のプラスチックを用いるとよい。
【００５８】
下側シェル１３０と上側シェル１３１との超音波溶着による接合をより確実に行なうには、上記第１の実施形態と同様に、第２の凸部１４３の先端１４３ａに突起状のエネルギーダイレクタを設けるとよい。なお、下側シェル１３０と上側シェル１３１との間の超音波溶着は、第２の凸部１４３の全周で行なってもよいし、一定間隔でスポット的に行なってもよい。
【００５９】
シャッタ１１０は、下側シェル１３０及び上側シェル１３１とは種類の異なるプラスチックで形成されている。また、上記第１実施形態と同様に、遮光性物質と剤とを添加してもよい。シャッタ１１０は、カートリッジ本体１２５の装填方向Ｆ側の端面に配置されるベース部１５７と、上側シェル１３１及び下側シェル１３０のシャッタ収納部１４５及び１３７にそれぞれ挿入される上側シャッタ板１１０ａ及び下側シャッタ板１１０ｂとからなる。
【００６０】
ベース部１５７の外面には、シャッタ１１０の開放時に使用される係合穴１１１ａ，１１１ｂと、ロック機構１２７によって係止される係止ピン１６０，１６１とが対称に設けられている。また、図２３（Ａ）に示すように、ベース部１５７の内面には、中立機構１２６に連係される一対の規制片１６２，１６３が両側端縁近傍に対称に設けられている。
【００６１】
シャッタ１１０は、シャッタ収納部１４５及び１３７内で上側シャッタ板１１０ａ及び下側シャッタ板１１０ｂを移動させ、開口１０７及び１０８を開閉する。上側シャッタ板１１０ａ及び下側シャッタ板１１０ｂは、開口１０７、１０８よりも十分に大きな面積を有し、シャッタ収納部１４５，１３７との間でラビリンス状の遮光構造を形成するため、光や塵芥が開口１０７，１０８から進入するのを効果的に防止することができる。なお、下側シェル１３０及び上側シェル１３１とシャッタ１１０は、原材料のプラスチックに滑剤が添加されているため、シャッタ１１０の移動時の摩擦によって削り屑等が発生することはない。
【００６２】
中立機構１２６は、一対のスライド部材１７０，１７１と、これらのスライド部材１７０，１７１の間を連結するバネ１７２とからなる。図２３（Ａ）に示すように、一対のスライド部材１７０，１７１は、下側シェル１３０と上側シェル１３１とに設けられた切欠部１４８，１４９からなる溝１７５内のストッパ１５０の外側にスライド自在に挿入され、バネ１７２の付勢によって各ストッパ１５０に当接する。シャッタ１１０の規制片１６２，１６３は、各スライド部材１７０，１７１とストッパ１５０との間に挿入される。シャッタ１１０は、規制片１６２，１６３がバネ１７２の付勢によって停止されたスライド部材１７０，１７１に当接することにより、中央の閉じ位置に位置決めされる。
【００６３】
例えば、図２３（Ｂ）に示すように、シャッタ１１０が図中右方にスライドされると、右側の規制片１６２がスライド部材１７０をバネ１７２の付勢に抗して押圧し、溝１７５内でスライドさせる。他方のスライド部材１７１はストッパ１５０に当接しているため移動しない。この状態からシャッタ１１０のスライド動作を終了すると、バネ１７２の付勢によってスライド部材１７０が規制片１６２を押圧し、シャッタ１１０を中央の閉じ位置に移動させる。
【００６４】
ロック機構１２７は、先端嵌合部１２８の内部に回転自在に組み込まれるロックレバー１８０と、ロックバネ１８１とからなる。ロックレバー１８０は、両端に設けられた係合爪１８２ａ，１８２ｂと、先端嵌合部１２８内に設けられた軸受部に回転自在に挿入される軸部１８３と、前述の解除用係合部１２０とからなる。この解除用係合部１２０は、先端嵌合部１２８に設けられた穴１２８ａから外部に露呈される。
【００６５】
ロックバネ１８１は、捩じりバネからなり、軸部１８３に挿入されて一端がロックレバー１８０に掛けられ、他端が先端嵌合部１２８内に当接することにより、ロックレバー１８０を図中時計方向に付勢する。
【００６６】
図２４（Ａ）は、ロック機構１２７のロック状態を示す概略図である。図１６及び図１９（Ａ）に示すように、シャッタ１１０が閉じ位置にあるときには、ロックバネ１８１の付勢によって係合爪１８２ａ，１８２ｂがシャッタ１１０の係止ピン１６０，１６１にそれぞれ係合している。これにより、シャッタ１１０の開き方向への移動が規制されるため、シャッタ１１０が不用意に開放されて記録ディスク１０４が曝光されることはない。
【００６７】
また、図２４（Ｂ）は、ロック機構１２７のロック解除状態を示している。図１７に示すように、解除用係合部１２０が解除治具１１８によって反時計方向の解除方向に回転されると、ロックレバー１８０もロックバネ１８１の付勢に抗して反時計方向に回転される。これにより、係合爪１８２ａ，１８２ｂと係止ピン１６０，１６１との係合が解除され、シャッタ１１０が移動可能となる。なお、シャッタ１１０は、中立機構１２６によって閉じ位置に付勢されているため、ロック解除によりシャッタ１１０が開くことはない。図１７及び図１９（Ｂ）に示すように、シャッタ１１０が開き位置に移動されると開口１０７，１０８が開放され、記録ディスク１０４のホログラム記録層がカートリッジ１０２から露呈される。
【００６８】
ロック機構１２７は、解除用係合部１２０がカートリッジ１０２の表裏面を反転させる際の中心軸上にあり、かつシャッタ１１０が中央の閉じ位置から左右どちらの方向へ移動させても開口１０７，１０８を開放させられるように構成されているため、カートリッジ１０２のどちらの面を上に向けて装置に装填しても共通のロック解除機構及びシャッタ開閉機構を使用することができる。これにより、カートリッジ１０２を使用する装置を簡素化し、ローコスト化を図ることができる。
【００６９】
この第２の実施形態のカートリッジ２においても、ディスク収容部１０３の内面に粗面を形成するとよい。また、シャッタ収納部１３７，１４５内や、第１の凹部１３４の内面と、第１の凸部１４２の外面とにも粗面を設けてもよいし、シャッタ１１０の各シャッタ板１１０ａ，１１０ｂに粗面を設けてもよい。また、下側シェル１３０及び上側シェル１３１を１部品で構成したが、複数の部品を組みあわせて形成してもよい。例えば、シャッタ収納部を境にして２部品で構成すれば、金型の簡易化を図ることができる。
【実施例】
【００７０】
次に、本発明の実施例について説明する。
上側シェル及び下側シェルの成形に用いる熱可塑性プラスチックには、ＰＢＴ、ＡＢＳ、ＰＯＭ、ＰＳ、ＰＰ、ＨＤＰＥ、ＰＡ、ＰＥＴ、ＰＰＳ、ＳＡＮ（スチレン−アクリロニトリル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００７１】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００７２】
（１）無機化合物
Ａ．酸化物・・・シリ力、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミ二ウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩・・・硫酸カルシウム、硫酸バリウム、硫酸アンモニウム、亜硫酸カルシウム等
Ｅ．ケイ酸塩・・・夕ルク、クレー、マイ力、アスベスト、ガラス繊維、ガラスバルーン、ガラスビーズ、ケイ酸カルシウム、モンモリロナイト、ベントナイト等
Ｆ．炭素・・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミ二ウムペースト、夕
ルク等
（２）有機化合物
木粉（松、樫、ノコギリクズなど）、穀繊維（アーモンド、ピーナッツ、モミ穀など）、木綿、ジュート、紙細片、非木材繊維（ワラ、ケナフ、竹、エスパルト、パガス、モロヘイヤ、煙火など）セロハン片、ナイロン繊維、ポリプロピレン繊維、・デンプン（変性デンプン、表面処理デンプンも含む）、芳香族ポリアミド繊維等
【００７３】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００７４】
遮光性物質としてカーボンブラックを使用する場合には、その添加量を０．０１〜２．００重量％とするのが好ましい。上述したように、遮光性及び物理強度のバランスがよいプラスチックを得るためである。
【００７５】
カーボンブラックの原料による分類例をあげるとガスブラック、ファーネスプラック、チャンネルブラック、アントラセンブラック、アセチレンブラック、ケッチェンカーボンプラック、サーマルブラック、ランプブラック、油煙、松煙、アニマルプラック、ベジタブルブラツク等がある。
【００７６】
好ましいカーボンブラックの市販品の代表例としては、例えば三菱化成製のカーボンブラック＃２０（Ｂ），＃３０（Ｂ），＃３３（Ｂ），＃４０（Ｂ），＃４１（Ｂ），＃４４〔Ｂ），＃４５（Ｂ），＃５０，＃５５，＃１００，＃６００，＃９５０，＃１０００，＃２２００〔Ｂ），＃２４００（Ｂ），ＭＡ８，ＭＡ１１，ＭＡ１００等が挙げられる。また、電気化学製のデンカブラック、東海カーボンのシースト、旭カーボンの旭＃７８、昭和キャボットのショウワブラック、新日鉄化学のニテロン、三菱化学のダイヤブラック等の各種グレードのものも用いることができる。
【００７７】
海外の製品としては、例えばキャボット社のＢｌａｃｋ  Ｐｅａｒｌｓ  ２，４６，７０，７１，７４，８０，８１，６０７等、Ｒｅｇａｌ３００，３３０，４００，６６０，９９１，ＳＲＦ−Ｓ等、Ｖｕｌｃａｎ  ３，６等、Ｓｔｅｒｌｉｎｇ１０，ＳＯ，Ｖ，Ｓ，ＦＴ−ＦＦ，ＭＴ−ＦＦ等が挙げられる。
【００７８】
さらにアシュランドケミカル社のＵｎｉｔｅｄ  Ｒ，ＢＢ，１５，１０２，３００１，３００４，３００６，３００７，３００８，３００９，３０１１，３０１２，ＸＣ−３０１６，ＸＣ−３０１７，３０２０等が挙げることができるが、本発明は、これらに限定されるものではない。
【００７９】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００８０】
また、シェルに設ける粗面としては、表面粗さＲａ：５μｍ以下だと光拡散効果が薄く、２０μｍ以上だと記録ディスクとの接触時に傷を発生させるおそれがある。そのため、表面粗さＲａ：５〜２０μｍのマット加工、またはシボ加工が好ましい。
【００８１】
上記第１実施形態のカートリッジ２と、第２実施形態のカートリッジ１０２とを実際に制作し、特許文献２記載の従来のカートリッジ（比較例）とともに、遮光性及び防塵性に関する実験を行なった。遮光性実験及び防塵性実験の方法と評価基準、上下シェル及びシャッタ等の部品の材質は、次のとおりである。また、各カートリッジの材質、及び実験結果を以下の表１に記載する。
［遮光性実験］
１０万Ｌｕｘの検査光をカートリッジの各面に３分間ずつ照射し、フォトポリマーの記録性を検査
［遮光性実験の評価基準］
◎：フォトポリマーの記録性に問題なし
×：フォトポリマーの記録性に問題あり
［防塵性実験］
記録ディスクをカートリッジ内で１００万回転（速度５０００ｒｐｍ）させた後、長さ０．１ｍｍ以上のゴミの付着数を検査
［防塵性実験の評価基準］
◎：０〜５個、○：６〜１０個、△：１１〜２０個、×：２１個以上
［材質］
ＡＢＳ：デンカ汎用グレード  ＧＲ−０５００
ＰＯＭ：三菱エンジニアリングプラスチックス  ユピタール  強化・充填グレードＦＧ２０２５
【００８２】
【表１】
2006179154.tif 000003
【００８３】
上記表１に記載した実験結果からも明らかなように、比較例のカートリッジは、遮光性実験及び防塵性実験ともに結果が悪く、収容した記録ディスクの遮光性及び防塵性を保てないことがわかる。
これに対し、本発明の第１及び第２実施形態のカートリッジは、遮光性実験及び防塵性実験ともに良好な結果が得られ、収容した記録ディスクを適切に保護することができる。      
【００８４】
なお、上記各実施形態では、シャッタ１０，１１０をプラスチックで形成したが、アルミニウム合金やステンレス鋼等の金属で形成してもよい。また、凹部と凸部とを嵌合させることによって遮光構造を形成したが、位置決め穴の遮光構造のように、二つの遮光壁を近接させて嵌合させることで遮光構造を得てもよい。
【００８５】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【００８６】
更に、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカートリッジにも本発明を適用することができる。
【図面の簡単な説明】
【００８７】
【図１】第１実施形態のカートリッジの外観形状を示す斜視図である。
【図２】カートリッジを裏面側の外観形状を示す斜視図である。
【図３】カートリッジのシャッタ開放状態を示す外観斜視図である。
【図４】カートリッジの装填方向の断面図である。
【図５】カートリッジの装填方向に直交する方向の断面図である。
【図６】カートリッジの構成を示す分解斜視図である。
【図７】カートリッジ本体の構成を示す分解斜視図である。
【図８】凸部及び凹部からなる遮光構造を示す断面図である。
【図９】位置決め穴の遮光構造を示す断面図である。
【図１０】エネルギーダイレクタを設けた遮光構造の断面図である。
【図１１】シャッタの構成を示す分解斜視図である。
【図１２】ロック機構の構成を示す要部断面図である。
【図１３】ロック機構の動作説明図である。
【図１４】上側シェルに設けた粗面を示す断面図である。
【図１５】凸部及び凹部内に設けた粗面を示す断面図である。
【図１６】第２実施形態のカートリッジの外観形状を示す斜視図である。
【図１７】カートリッジのシャッタ開放状態を示す外観斜視図である。
【図１８】カートリッジの装填方向の断面図である。
【図１９】カートリッジの装填方向に直交する方向の断面図である。
【図２０】カートリッジの構成を示す分解斜視図である。
【図２１】カートリッジ本体の構成を示す分解斜視図である。
【図２２】カートリッジの装填方向先端側の構成を示す要部断面図である。
【図２３】中立機構の動作説明図である。
【図２４】ロック機構の動作説明図である。
【符号の説明】
【００８８】
２，１０２  カートリッジ
３，１０３  ディスク収容部
４，１０４  記録ディスク
７，８，１０７，１０８  開口
１０，１１０  シャッタ
１１，１２，１２７  ロック機構
３０，１３０  下側シェル
３１，１３１  下側シェル
３４，１３４  第１凹部
３５，１３５  第２凹部
４２，１４２  第１凸部
４３，１４２  第２凸部
【図１】
2006179154.tif 000004
【図２】
2006179154.tif 000005
【図３】
2006179154.tif 000006
【図４】
2006179154.tif 000007
【図５】
2006179154.tif 000008
【図６】
2006179154.tif 000009
【図７】
2006179154.tif 000010
【図８】
2006179154.tif 000011
【図９】
2006179154.tif 000012
【図１０】
2006179154.tif 000013
【図１１】
2006179154.tif 000014
【図１２】
2006179154.tif 000015
【図１３】
2006179154.tif 000016
【図１４】
2006179154.tif 000017
【図１５】
2006179154.tif 000018
【図１６】
2006179154.tif 000019
【図１７】
2006179154.tif 000020
【図１８】
2006179154.tif 000021
【図１９】
2006179154.tif 000022
【図２０】
2006179154.tif 000023
【図２１】
2006179154.tif 000024
【図２２】
2006179154.tif 000025
【図２３】
2006179154.tif 000026
【図２４】
2006179154.tif 000027